(57)【特許請求の範囲】
【請求項１】
機体の第１の側面に設けられ、機外から紙葉類が装填されると共に装填された集積状態の紙葉類を該紙葉類の短辺方向に移動させて一枚ずつ繰り出す取込部と、
該取込部から機体の前記第１の側面とは反対の第２の側面に向けて延出する第１の延出部、該第１の延出部の前記第２の側面側から上方に延出する第２の延出部および該第２の延出部の上部から前記第２の側面に向け延出して該第２の側面に開口する第３の延出部を有し、前記取込部から紙葉類を受け取り、該受け取りを含めた全範囲で紙葉類を前記短辺方向に移動させる受取繰出搬送部と、
前記第１の延出部に設けられ、該第１の延出部で搬送中の紙葉類を識別する識別部と、
前記第２の延出部の上部から前記第１の側面に向け延出して該第２の延出部から紙葉類を受け取り、該受け取りを含めた全範囲で紙葉類を前記短辺方向に移動させると共に複数に分岐された分岐搬送部と、
該分岐搬送部の前記第１の側面側に分岐する第１の分岐部に接続されると共に、前記第１の側面の前記取込部よりも上方に設けられて、前記識別部で受け入れ不可と識別された紙葉類を機外に取り出し可能に集積させるリジェクト部と、
前記第１の側面と前記第２の側面とを結ぶ方向に並び、前記取込部よりも上方に、前記前面に開口して設けられて、前記分岐搬送部の下方に分岐する複数の第２の分岐部の対応する一つにそれぞれ接続されると共に、前記識別部で受け入れ可能と識別された紙葉類を機外に取り出し可能に集積させる複数の集積部と、
を有するベース機と、
機体の第３の側面の上部に開口して該第３の側面とは反対の第４の側面に向け延出して該第４の側面に開口し、受け取りを含めた全範囲で紙葉類を前記短辺方向に移動させる受取繰出搬送部と、
該受取繰出搬送部から下方に延出して該受取繰出搬送部から紙葉類を受け取り、該受け取りを含めた全範囲で紙葉類を前記短辺方向に移動させる内部搬送部と、
該内部搬送部から前記短辺方向に移動して繰り出される紙葉類を受け入れて処理する処理部と、
を有する拡張機と、
を備える紙葉類処理装置の組立方法であって、
少なくとも一台の前記拡張機を準備し、
少なくとも一台の前記拡張機を、前記ベース機の前記第２の側面側に、隣り合うもの同士の前記受取繰出搬送部を紙葉類の受け渡しが可能に配置して連設することを特徴とする紙葉類処理装置の組立方法。
【請求項２】
前記処理部は、機体の前面に開口して紙葉類を外部に取り出し可能に集積させる集積部であることを特徴とする請求項１記載の紙葉類処理装置の組立方法。
【請求項３】
前記処理部は、紙葉類を集積させて結束する結束部であることを特徴とする請求項１又は２記載の紙葉類処理装置の組立方法。
【請求項４】
機体の第１の側面に設けられ、機外から紙葉類が装填されると共に装填された集積状態の紙葉類を該紙葉類の短辺方向に移動させて一枚ずつ繰り出す取込部と、
該取込部から機体の前記第１の側面とは反対の第２の側面に向けて延出する第１の延出部、該第１の延出部の前記第２の側面側から上方に延出する第２の延出部および該第２の延出部の上部から前記第２の側面に向け延出して該第２の側面に開口する第３の延出部を有し、前記取込部から紙葉類を受け取り、該受け取りを含めた全範囲で紙葉類を前記短辺方向に移動させる受取繰出搬送部と、
前記第１の延出部に設けられ、該第１の延出部で搬送中の紙葉類を識別する識別部と、
前記第２の延出部の上部から前記第１の側面に向け延出して該第２の延出部から紙葉類を受け取り、該受け取りを含めた全範囲で紙葉類を前記短辺方向に移動させると共に複数に分岐された分岐搬送部と、
該分岐搬送部の前記第１の側面側に分岐する第１の分岐部に接続されると共に、前記第１の側面の前記取込部よりも上方に設けられて、前記識別部で受け入れ不可と識別された紙葉類を機外に取り出し可能に集積させるリジェクト部と、
前記第１の側面と前記第２の側面とを結ぶ方向に並び、前記取込部よりも上方に、前記前面に開口して設けられて、前記分岐搬送部の下方に分岐する複数の第２の分岐部の対応する一つにそれぞれ接続されると共に、前記識別部で受け入れ可能と識別された紙葉類を機外に取り出し可能に集積させる複数の集積部と、
を有するベース機と、
機体の第３の側面の上部に開口して該第３の側面とは反対の第４の側面に向け延出して該第４の側面に開口し、受け取りを含めた全範囲で紙葉類を前記短辺方向に移動させる受取繰出搬送部と、
該受取繰出搬送部から下方に延出して該受取繰出搬送部から紙葉類を受け取り、該受け取りを含めた全範囲で紙葉類を前記短辺方向に移動させる内部搬送部と、
該内部搬送部から前記短辺方向に移動して繰り出される紙葉類を受け入れて処理する処理部と、
を有する拡張機と、を備え、
前記ベース機の前記第２の側面側に少なくとも一台の前記拡張機が、隣り合うもの同士が前記受取繰出搬送部を紙葉類の受け渡しを可能に配置して連設されていることを特徴とする紙葉類処理装置。
【請求項５】
前記処理部は、機体の前面に開口して紙葉類を外部に取り出し可能に集積させる集積部であることを特徴とする請求項４記載の紙葉類処理装置。
【請求項６】
前記処理部は、紙葉類を集積させて結束する結束部であることを特徴とする請求項４又は５記載の紙葉類処理装置。
【発明の詳細な説明】
【技術分野】
【０００１】
本発明は、紙葉類処理装置の組立方法および紙葉類処理装置に関する。
【背景技術】
【０００２】
紙葉類計数仕分機に増設スタッカユニットを増設可能なものがある。紙葉類計数仕分機に増設スタッカユニットを増設した場合には、紙葉類計数仕分機から増設スタッカユニットに紙葉類を搬送する際に、紙葉類計数仕分機で搬送方向を９０度方向変換して増設スタッカユニットに送り、その後、増設スタッカユニットで搬送方向を９０度方向変換するようになっている（特許文献１参照）。
【先行技術文献】
【特許文献】
【０００３】
【特許文献１】特許第５０９１３６０号公報
【発明の概要】
【発明が解決しようとする課題】
【０００４】
上記のように紙葉類計数仕分機で搬送方向を９０度方向変換して増設スタッカユニットに送り、増設スタッカユニットで搬送方向を９０度方向変換すると、構造が複雑になって、コストが増大してしまう。
【０００５】
したがって、本発明は、コスト増を抑制できる紙葉類処理装置の組立方法および紙葉類処理装置を提供する。
【課題を解決するための手段】
【０００６】
上記目的を達成するために、本発明に係る第１の態様は、機体の第１の側面に設けられ、機外から紙葉類が装填されると共に装填された集積状態の紙葉類を該紙葉類の短辺方向に移動させて一枚ずつ繰り出す取込部と、該取込部から機体の前記第１の側面とは反対の第２の側面に向けて延出する第１の延出部、該第１の延出部の前記第２の側面側から上方に延出する第２の延出部および該第２の延出部の上部から前記第２の側面に向け延出して該第２の側面に開口する第３の延出部を有し、前記取込部から紙葉類を受け取り、該受け取りを含めた全範囲で紙葉類を前記短辺方向に移動させる受取繰出搬送部と、前記第１の延出部に設けられ、該第１の延出部で搬送中の紙葉類を識別する識別部と、前記第２の延出部の上部から前記第１の側面に向け延出して該第２の延出部から紙葉類を受け取り、該受け取りを含めた全範囲で紙葉類を前記短辺方向に移動させると共に複数に分岐された分岐搬送部と、該分岐搬送部の前記第１の側面側に分岐する第１の分岐部に接続されると共に、前記第１の側面の前記取込部よりも上方に設けられて、前記識別部で受け入れ不可と識別された紙葉類を機外に取り出し可能に集積させるリジェクト部と、前記第１の側面と前記第２の側面とを結ぶ方向に並び、前記取込部よりも上方に、前記前面に開口して設けられて、前記分岐搬送部の下方に分岐する複数の第２の分岐部の対応する一つにそれぞれ接続されると共に、前記識別部で受け入れ可能と識別された紙葉類を機外に取り出し可能に集積させる複数の集積部と、を有するベース機と、機体の第３の側面の上部に開口して該第３の側面とは反対の第４の側面に向け延出して該第４の側面に開口し、受け取りを含めた全範囲で紙葉類を前記短辺方向に移動させる受取繰出搬送部と、該受取繰出搬送部から下方に延出して該受取繰出搬送部から紙葉類を受け取り、該受け取りを含めた全範囲で紙葉類を前記短辺方向に移動させる内部搬送部と、該内部搬送部から前記短辺方向に移動して繰り出される紙葉類を受け入れて処理する処理部と、を有する拡張機と、を備える紙葉類処理装置の組立方法であって、少なくとも一台の前記拡張機を準備し、少なくとも一台の前記拡張機を、前記ベース機の前記第２の側面側に、隣り合うもの同士の前記受取繰出搬送部を紙葉類の受け渡しが可能に配置して連設することを特徴とする。
【０００７】
上記第１の態様によれば、ベース機に拡張機を連設した状態で、ベース機の取込部が機外から装填された集積状態の紙葉類をその短辺方向に移動させて一枚ずつ繰り出すと、受取繰出搬送部が、取込部からの受け取りを含む全範囲で紙葉類をその短辺方向に移動させて、機外に繰り出す。ベース機の受取繰出搬送部から繰り出された紙葉類は、拡張機の受取繰出搬送部が、ベース機の受取繰出搬送部からの受け取りを含めた全範囲で紙葉類をその短辺方向に移動させて機外に繰り出したり、内部搬送部が、受取繰出搬送部からの受け取りを含めた全範囲で紙葉類をその短辺方向に移動させて処理部に搬送したりする。第１の拡張機に第２の拡張機を連設すれば、第１の拡張機の受取繰出搬送部から繰り出された紙葉類は、第２の拡張機の受取繰出搬送部が、第１の拡張機の受取繰出搬送部からの受け取りを含めた全範囲で紙葉類をその短辺方向に移動させて機外に繰り出したり、第２の拡張機の内部搬送部が、第２の拡張機の受取繰出搬送部からの受け取りを含めた全範囲で紙葉類をその短辺方向に移動させて処理部に搬送したりする。よって、ベース機から拡張機への受け渡し、さらには拡張機から拡張機への受け渡しを含めて紙葉類を常にその短辺方向に移動させることになるため、構造を簡素化でき、コスト増を抑制することができる。また、拡張機として、処理部が異なる複数種類の拡張機を準備するため、ベース機と拡張機との組み合わせのバリエーションが増え、顧客ニーズに容易に対応することができる。また、拡張機の増設数についても顧客ニーズに容易に対応することができる。
【０００９】
また、受取繰出搬送部が、全範囲で紙葉類をその短辺方向に移動させて機外に繰り出したり、分岐搬送部が、紙葉類を受取繰出搬送部から受け取り、該受け取りを含めた全範囲で短辺方向に移動させて、複数の集積部に外部に取り出し可能に集積させたりする。よって、複数の集積部を設けても、紙葉類をその短辺方向に移動させることになるため、構造を簡素化でき、コスト増を抑制することができる。
【００１１】
また、ベース機は、取込部が、機体の第１の側面に設けられているため、機外からの紙葉類の装填操作がしやすい。また、識別部で受け入れ不可と識別された紙幣を集積させるリジェクト部が、第１の側面の取込部の上方に設けられているため、紙葉類の取込部への再装填操作がしやすい。また、受取繰出搬送部の、取込部から機体の第１の側面とは反対の第２の側面に向けて延出する第１の延出部に識別部が設けられ、受取繰出搬送部の第２の延出部の上部から第１の側面に向け延出しつつ分岐する分岐搬送部が、第１の側面と第２の側面とを結ぶ方向に並び前面に開口して設けられた複数の集積部に接続されるため、これらをコンパクトに配置することができる。また、第１の延出部の第２の側面側から上方に延出する第２の延出部から、第３の延出部が、第２の側面に向け延出して第２の側面に開口するため、連設された拡張機への紙葉類の受け渡しが容易となる。
【００１２】
拡張機は、その受取繰出搬送部が、機体の第３の側面の上部に開口し第４の側面に向け延出して第４の側面に開口するため、隣り合う拡張機へ紙葉類を直線状に移動させることができる。よって、紙葉類が拡張機を通過する際の移動距離を短くできる。
【００１３】
本発明に係る第２の態様は、上記第１の態様において、前記処理部が、機体の前面に開口して紙葉類を外部に取り出し可能に集積させる集積部であることを特徴とする。
【００１４】
上記第２の態様によれば、拡張機の処理部が、機体の前面に開口して紙葉類を外部に取り出し可能に集積させる集積部であるため、集積部を増やすことができ、紙葉類の多種分類および大量分類に対応することができる。
【００１５】
本発明に係る第３の態様は、上記第１又は第２の態様において、前記処理部が、紙葉類を集積させて結束する結束部であることを特徴とする。
【００１６】
上記第３の態様によれば、拡張機の処理部が、紙葉類を集積させて結束する結束部であるため、紙葉類の結束を行うことができる。
【００１７】
本発明に係る第４の態様は、機体の第１の側面に設けられ、機外から紙葉類が装填されると共に装填された集積状態の紙葉類を該紙葉類の短辺方向に移動させて一枚ずつ繰り出す取込部と、該取込部から機体の前記第１の側面とは反対の第２の側面に向けて延出する第１の延出部、該第１の延出部の前記第２の側面側から上方に延出する第２の延出部および該第２の延出部の上部から前記第２の側面に向け延出して該第２の側面に開口する第３の延出部を有し、前記取込部から紙葉類を受け取り、該受け取りを含めた全範囲で紙葉類を前記短辺方向に移動させる受取繰出搬送部と、前記第１の延出部に設けられ、該第１の延出部で搬送中の紙葉類を識別する識別部と、前記第２の延出部の上部から前記第１の側面に向け延出して該第２の延出部から紙葉類を受け取り、該受け取りを含めた全範囲で紙葉類を前記短辺方向に移動させると共に複数に分岐された分岐搬送部と、該分岐搬送部の前記第１の側面側に分岐する第１の分岐部に接続されると共に、前記第１の側面の前記取込部よりも上方に設けられて、前記識別部で受け入れ不可と識別された紙葉類を機外に取り出し可能に集積させるリジェクト部と、前記第１の側面と前記第２の側面とを結ぶ方向に並び、前記取込部よりも上方に、前記前面に開口して設けられて、前記分岐搬送部の下方に分岐する複数の第２の分岐部の対応する一つにそれぞれ接続されると共に、前記識別部で受け入れ可能と識別された紙葉類を機外に取り出し可能に集積させる複数の集積部と、を有するベース機と、機体の第３の側面の上部に開口して該第３の側面とは反対の第４の側面に向け延出して該第４の側面に開口し、受け取りを含めた全範囲で紙葉類を前記短辺方向に移動させる受取繰出搬送部と、該受取繰出搬送部から下方に延出して該受取繰出搬送部から紙葉類を受け取り、該受け取りを含めた全範囲で紙葉類を前記短辺方向に移動させる内部搬送部と、該内部搬送部から前記短辺方向に移動して繰り出される紙葉類を受け入れて処理する処理部と、を有する拡張機と、を備え、前記ベース機の前記第２の側面側に少なくとも一台の前記拡張機が、隣り合うもの同士が前記受取繰出搬送部を紙葉類の受け渡しを可能に配置して連設されていることを特徴とする。
【００１８】
上記第４の態様によれば、ベース機の取込部が機外から装填された集積状態の紙葉類をその短辺方向に移動させて一枚ずつ繰り出すと、ベース機の受取繰出搬送部が、取込部からの受け取りを含めた全範囲で紙葉類をその短辺方向に移動させて、機外に繰り出したり、分岐搬送部が、受取繰出搬送部からの受け取りを含めた全範囲で紙葉類をその短辺方向に移動させて複数の集積部に外部に取り出し可能に集積させたりする。ベース機の受取繰出搬送部から繰り出された紙葉類は、拡張機の受取繰出搬送部が、ベース機の受取繰出搬送部からの受け取りを含めた全範囲で紙葉類をその短辺方向に移動させて機外に繰り出したり、拡張機の受取繰出搬送部から分岐する内部搬送部が、拡張機の受取繰出搬送部からの受け取りを含めた全範囲で紙葉類をその短辺方向に移動させて処理部に搬送したりする。よって、ベース機から拡張機への受け渡しを含めて紙葉類を常にその短辺方向に移動させることになるため、構造を簡素化でき、コスト増を抑制することができる。また、拡張機の受取繰出搬送部が紙葉類を機外に繰り出すため、拡張機に追加の拡張機を連設することが可能となる。
【００１９】
ベース機は、取込部が、機体の第１の側面に設けられているため、機外からの紙葉類の装填操作がしやすい。また、識別部で受け入れ不可と識別された紙幣を集積させるリジェクト部が、第１の側面の取込部の上方に設けられているため、紙葉類の取込部への再装填操作がしやすい。また、受取繰出搬送部の、取込部から機体の第１の側面とは反対の第２の側面に向けて延出する第１の延出部に識別部が設けられ、第２の延出部の上部から第１の側面に向け延出しつつ分岐する分岐搬送部が、第１の側面と第２の側面とを結ぶ方向に並び前面に開口して設けられた複数の集積部に接続されるため、これらをコンパクトに配置することができる。また、第１の延出部の第２の側面側から上方に延出する第２の延出部から、第３の延出部が、第２の側面に向け延出して第２の側面に開口するため、連設された拡張機への紙葉類の受け渡しが容易となる。
【００２０】
拡張機は、その受取繰出搬送部が、機体の第３の側面の上部に開口し第４の側面に向け延出して第４の側面に開口するため、隣り合う拡張機への紙葉類を直線状に移動させることができる。よって、紙葉類が拡張機を通過する際の移動距離を短くできる。
【００２１】
本発明に係る第５の態様は、上記第４の態様において、前記処理部が、機体の前面に開口して紙葉類を外部に取り出し可能に集積させる集積部であることを特徴とする。
【００２２】
上記第５の態様によれば、拡張機の処理部が、機体の前面に開口して紙葉類を外部に取り出し可能に集積させる集積部であるため、ベース機の集積部と合わせて集積部の数が増えることになり、紙葉類の多種分類および大量分類に対応することができる。
【００２３】
本発明に係る第６の態様は、上記第４又は第５の態様において、前記処理部が、紙葉類を集積させて結束する結束部であることを特徴とする。
【００２４】
上記第６の態様によれば、拡張機の処理部が、紙葉類を集積させて結束する結束部であるため、ベース機の集積部による分類に加えて、紙葉類の結束を行うことができる。
【発明の効果】
【００２５】
本発明によれば、コスト増を抑制できる紙葉類処理装置の組立方法および紙葉類処理装置を提供することができる。
【図面の簡単な説明】
【００２６】
【図１】本発明の一実施形態に係る紙葉類処理装置の一の構成例の内部構造を概略的に示す正面図である。
【図２】本発明の一実施形態に係る紙葉類処理装置を構成するベース機を示す斜視図である。
【図３】本発明の一実施形態に係る紙葉類処理装置を構成するベース機の内部構造を概略的に示す正面図である。
【図４】本発明の一実施形態に係る紙葉類処理装置を構成可能な拡張機を示す斜視図である。
【図５】本発明の一実施形態に係る紙葉類処理装置を構成可能な拡張機の内部構造を概略的に示す正面図である。
【図６】本発明の一実施形態に係る紙葉類処理装置を構成可能な拡張機を示す斜視図である。
【図７】本発明の一実施形態に係る紙葉類処理装置を構成可能な拡張機の内部構造を概略的に示す正面図である。
【図８】本発明の一実施形態に係る紙葉類処理装置を構成可能な拡張機を示す斜視図である。
【図９】本発明の一実施形態に係る紙葉類処理装置を構成可能な拡張機の内部構造を概略的に示す正面図である。
【図１０】本発明の一実施形態に係る紙葉類処理装置を構成可能な拡張機を示す斜視図である。
【図１１】本発明の一実施形態に係る紙葉類処理装置を構成可能な拡張機の内部構造を概略的に示す正面図である。
【図１２】本発明の一実施形態に係る紙葉類処理装置の別の構成例の内部構造を概略的に示す正面図である。
【図１３】本発明の一実施形態に係る紙葉類処理装置のさらに別の構成例の内部構造を概略的に示す正面図である。
【発明を実施するための形態】
【００２７】
本発明の一実施形態を図面を参照して以下に説明する。
本実施形態に係る紙葉類処理装置１は、図１に示すように、ベース機２と、例えば複数種類の拡張機３〜６とが組み合わせられて構成されるものである。ここで、本実施形態は、複数種類の拡張機３〜６の、数および種類のうちの少なくともいずれか一方を選択設定してベース機２に組み合わせる紙葉類処理装置１の組立方法を含んでいる。紙葉類処理装置１は、各種紙葉類の中の紙幣Ｓを処理するものである。
【００２８】
「ベース機２」
図２，図３に示すように、ベース機２は、紙幣Ｓを分類する紙幣分類機であり、操作者により機外から投入された紙幣Ｓに対して所定の分類処理を行う。例えば、操作者により機外から投入された紙幣Ｓを識別し金種別に計数して金種別に分類する分類処理や、紙幣Ｓの複数のバッチ処理の纏まりを、それぞれバッチ処理の纏まり毎に識別し計数してバッチ処理の纏まり毎に分けて集積させる分類処理を行う。
【００２９】
ベース機２は、その機体の操作者側から見て右側の右側面１１（第１の側面）に設けられて右側面１１および機体の操作者側の前面１２に連続して開口する取込部１５と、同じく右側面１１の取込部１５よりも上方に設けられて機体の右側面１１および前面１２に連続して開口するリジェクト部１６（集積部）とを有している。つまり、リジェクト部１６は、取込部１５と同じ機体の右側面１１に臨んで設けられており、取込部１５と上下に隣り合って設けられている。
【００３０】
機体の右側面１１および前面１２に開口する取込部１５には、操作者によって機外から紙幣Ｓが装填される。このとき、取込部１５は機体前後方向の長さが機体左右方向の長さよりも長く、紙幣Ｓが長辺を機体前後方向に沿わせ短辺を機体左右方向に沿わせた状態で上下に集積されて底面１７上に載置される。取込部１５は、このように装填された集積状態の紙幣Ｓを最下のものから一枚ずつその短辺が搬送方向に沿う短辺方向に移動させて機体左方に繰り出す。つまり、取込部１５は、紙幣Ｓをその短辺方向に移動させて一枚ずつ機内に繰り出す。
【００３１】
ベース機２は、取込部１５から繰り出された紙幣Ｓを受け取り、この受け取りも含めた全範囲で紙幣Ｓを短辺方向に移動させて機外に繰り出す受取繰出搬送部２１と、受取繰出搬送部２１で搬送中の紙幣Ｓを識別する識別部２２とを有している。受取繰出搬送部２１は、取込部１５から機体の右側面１１とは反対の左側面２４（第２の側面）に向けて延出する左方延出部２６（第１の延出部）と、左方延出部２６の左側面２４近傍の端部から上方に延出する上方延出部２７（第２の延出部）と、上方延出部２７の上端部から左側面２４に向け延出して左側面２４に開口部２９で開口する左方延出部２８（第３の延出部）とを有している。受取繰出搬送部２１には、これらのうちの最も取込部１５側の左方延出部２６に識別部２２が設けられている。
【００３２】
ベース機２は、受取繰出搬送部２１の上方延出部２７の上端部から分岐して右側面１１に向け延出しつつさらに分岐する分岐搬送部３０を有している。分岐搬送部３０は、紙幣Ｓを受取繰出搬送部２１から受け取り、該受け取りを含めた全範囲で短辺方向に移動させる。分岐搬送部３０は、受取繰出搬送部２１とは反対側が複数に分岐されており、具体的には４つの分岐部３１〜３４に分岐されている。分岐部３１〜３４は、分岐搬送部３０の分岐後の末端位置となる部分で、機体左右方向に並んで配置されている。
【００３３】
分岐部３１〜３４のうちの最も右側の分岐部３４（第１の分岐部）は、分岐搬送部３０において機体の右側面１１に向けて分岐してリジェクト部１６に接続されている。言い換えれば、リジェクト部１６は、分岐搬送部３０の右側面１１側に分岐する分岐部３４に接続されている。リジェクト部１６は、対応する分岐部３４から紙幣Ｓがその短辺方向に移動して繰り出され、このように繰り出された紙幣Ｓを外部に取り出し可能に集積させる。リジェクト部１６は、具体的に、識別部２２で受け入れ不可と識別された紙幣Ｓを集積させる。リジェクト部１６は、底面３７および壁面３８と、分岐部３４から繰り出された紙幣Ｓを壁面３８に当接させて底面３７に向け落下させる羽根車３９とを有している。よって、リジェクト部１６に繰り出された紙幣Ｓは、長辺を機体前後方向に沿わせ、短辺を機体左右方向に沿わせて上下に集積されて底面３７上に載置される。
【００３４】
分岐部３１〜３４のうちの残りの分岐部３１〜３３（第２の分岐部）は、いずれも分岐搬送部３０において下方に向けて分岐しており、これらに合わせて、これらの下側に複数具体的には三つの同形状の集積部４１〜４３が、上下方向の位置を重ね合わせて、機体の右側面１１と左側面２４とを結ぶ左右方向に並んで設けられている。集積部４１〜４３は、前面１２に開口している。分岐部３１〜３３のうちの最も左側の分岐部３１に、集積部４１〜４３のうちの最も左側の集積部４１が、中間の分岐部３２に、中間の集積部４２が、最も右側の分岐部３３に、最も右側の集積部４３が、それぞれ接続されている。集積部４１〜４３は、識別部２２の上方に設けられており、そのうちの集積部４２，４３が、識別部２２と機体左右方向の位置を重ね合わせている。
【００３５】
集積部４１は、対応する分岐部３１から紙幣Ｓがその短辺方向に移動して繰り出され、このように繰り出された紙幣Ｓを前面１２から外部に取り出し可能となるように集積させる。集積部４１は、水平に対し若干右下がりに傾斜する昇降可能な底板部４５と、底板部４５の右側で上方に延出する壁面４６と、壁面４６の上部に配置され分岐部３１から繰り出された紙幣Ｓを壁面４６に当接させて底板部４５に向け落下させる羽根車４７とを有している。よって、集積部４１に繰り出された紙幣Ｓは、長辺を機体前後方向に沿わせ、短辺を機体左右方向に沿わせて底板部４５上で上下に集積されることになり、前面１２の開口から前方に取り出される。底板部４５は、集積部４１の紙幣Ｓの集積量に応じて上下に移動する。
【００３６】
集積部４２，４３も同様の構造であり、集積部４２は、対応する分岐部３２から繰り出された紙幣Ｓを外部に取り出し可能に集積させ、集積部４３は、対応する分岐部３３から繰り出された紙幣Ｓを外部に取り出し可能に集積させる。よって、集積部４１〜４３およびリジェクト部１６は、分岐搬送部３０の分岐後の末端位置に設けられ、それぞれ対応する末端位置から短辺方向に移動して繰り出される紙幣Ｓを外部に取り出し可能に集積させる。集積部４１〜４３は、具体的には、識別部２２で受け入れ可能と識別された紙幣Ｓを集積させる。よって、紙幣Ｓを外部に取り出し可能に集積させる集積部４１〜４３およびリジェクト部１６のうち、その一つのリジェクト部１６が識別部２２で受け入れ不可と識別された紙幣Ｓを集積させることになり、残りの複数の集積部４１〜４３が、識別部２２で受け入れ可能と識別された紙幣Ｓを集積させる。
【００３７】
ベース機２は、上記した取込部１５、リジェクト部１６、受取繰出搬送部２１、識別部２２、分岐搬送部３０および集積部４１〜４３が、すべて機体前後方向の位置を重ね合わせている。
【００３８】
ベース機２の前面１２には、操作者により操作入力がなされると共に操作者に向け表示を行うタッチパネル式の操作表示部５５と、集積部４１〜４３のそれぞれの紙幣Ｓの集積枚数を表示させるカウンタパネル４１ａ〜４３ａとが設けられている。また、ベース機２には、内部に、識別部２２の識別結果に基づいてリジェクト部１６および集積部４１〜４３に紙幣Ｓを振り分ける等、取込部１５、リジェクト部１６、受取繰出搬送部２１、識別部２２、分岐搬送部３０および集積部４１〜４３を制御する制御部５６が設けられている。制御部５６は、ベース機２の全体を制御すると共に、拡張機３〜６のうちベース機２に連設されて同じ紙葉類処理装置１を構成するものにもインタフェースを介して通信可能に接続されて制御指令を出力する。ベース機２には、外部電源に接続されてベース機２の各部に給電する電源部５７が設けられている。
【００３９】
「拡張機３」
図４，図５に示すように、拡張機３は、機体の右側面６１（第３の側面）の上部に開口部６０で開口し、右側面６１とは反対の左側面６２（第４の側面）に向け水平かつ直線状に延出して、左側面６２の上部に開口部６３において開口する受取繰出搬送部６４と、受取繰出搬送部６４の左側面６２側から分岐して下方に延出する内部搬送部６５とを有している。受取繰出搬送部６４は、その開口部６０，６３が、ベース機２の受取繰出搬送部２１の開口部２９と高さ位置を合わせており、拡張機３がその右側面６１を例えばベース機２の左側面２４に重ねてベース機２に連設されると、受取繰出搬送部６４が開口部６０において、紙幣Ｓを、拡張機３の機外であるベース機２の受取繰出搬送部２１の開口部２９から受け取る。受取繰出搬送部６４は、このように機外から紙幣Ｓを受け取り、この受け取りを含めた全範囲で紙幣Ｓを短辺方向に移動させて、場合により開口部６３から機外に繰り出す。受取繰出搬送部６４には、開口部６０の位置に紙幣Ｓの開口部６０への受け入れを検知する紙幣検知センサ６７が設けられている。
【００４０】
内部搬送部６５は、紙幣Ｓを受取繰出搬送部６４の中間位置から受け取り、この受け取りを含めた全範囲で紙幣Ｓを短辺方向に移動させる。内部搬送部６５は、受取繰出搬送部６４とは反対側が複数具体的には４つの分岐部７１〜７４に分岐されている。分岐部７１〜７４は、機体上下方向に並んで配置されており、右側面６１に向けて分岐している。これら分岐部７１〜７４に合わせて、これらの右側に複数具体的には四つの同形状の集積部８１〜８４（処理部）が、機体左右方向の位置を重ね合わせて、上下方向に並んで設けられている。集積部８１〜８４は、それぞれが、内部搬送部６５から短辺方向に移動して繰り出される紙幣Ｓを受け入れて集積させる集積処理を行うもので、拡張機３の機体の前面８６に開口している。分岐部７１〜７４のうちの最も上側の分岐部７１に、集積部８１〜８４のうちの最も上側の集積部８１が、分岐部７１の下の分岐部７２に、集積部８１の下の集積部８２が、分岐部７２の下の分岐部７３に、集積部８２の下の集積部８３が、最も下側の分岐部７４に、最も下側の集積部８４が、それぞれ繋がっている。
【００４１】
集積部８１は、対応する分岐部７１から紙幣Ｓがその短辺方向に移動して繰り出され、このように繰り出された紙幣Ｓを前面８６から外部に取り出し可能となるように集積させる。集積部８１は、水平に対し若干右下がりに傾斜する底面８８と、底面８８の上側にこれと垂直に配置された左右に移動可能な壁板部８９と、底面８８の左部に配置され分岐部７１から繰り出された紙幣Ｓを底面８８に当接させて壁板部８９に向けて押し出す羽根車９０とを有している。よって、集積部８１に繰り出された紙幣Ｓは、長辺を機体前後方向に沿わせ、短辺を上下方向に沿わせて左右に集積されることになり、前面８６の開口から前方に取り出される。壁板部８９は、集積部８１の紙幣Ｓの集積量に応じて左右に移動する。
【００４２】
集積部８２〜８４も同様の構造であり、集積部８２は、対応する分岐部７２から繰り出された紙幣Ｓを外部に取り出し可能に集積させ、集積部８３は、対応する分岐部７３から繰り出された紙幣Ｓを外部に取り出し可能に集積させ、集積部８４は、対応する分岐部７４から繰り出された紙幣Ｓを外部に取り出し可能に集積させる。
【００４３】
拡張機３は、上記した受取繰出搬送部６４、内部搬送部６５および集積部８１〜８４が、すべて機体前後方向の位置を重ね合わせている。拡張機３の前面８６には、集積部８１〜８４のそれぞれの紙幣Ｓの集積枚数を表示させるカウンタパネル８１ａ〜８４ａが設けられている。拡張機３の内部には、ベース機２に通信可能に接続されてその制御部５６から制御指令を受信して、この制御指令に基づいて拡張機３を制御する制御部９５が設けられている。また、拡張機３には、外部電源に接続されて拡張機３の各部に給電する電源部９６が設けられている。
【００４４】
受取繰出搬送部６４および内部搬送部６５は、右側面６１の開口部６０から送り込まれた紙幣Ｓを受取繰出搬送部６４によって左側面６２近傍まで一旦搬送し、その後、内部搬送部６５が下方に搬送した後、右側面６１に向けて搬送して集積部８１〜８４に送り込む。このように、拡張機３の内部で折り返すように紙幣Ｓを搬送することで、開口部６０から集積部８１〜８４までの搬送長さを確保しており、紙幣検知センサ６７で検出された紙幣Ｓの集積部８１〜８４までの搬送距離を長くしている。その結果、紙幣検知センサ６７で検出された紙幣の集積部８１〜８４への制御部９５の制御による振り分けが良好に行えることになる。
【００４５】
「拡張機４」
図６，図７に示すように、拡張機４は、機体の右側面１０１（第３の側面）の上部に開口部１００で開口し、右側面１０１とは反対の左側面１０２（第４の側面）に向け水平かつ直線状に延出して、上部の開口部１０３で左側面１０２に開口する受取繰出搬送部１０４と、受取繰出搬送部１０４の左側面１０２側から分岐して下方に延出する内部搬送部１０５とを有している。受取繰出搬送部１０４は、その開口部１００，１０３が、拡張機３の受取繰出搬送部６４の開口部６０，６３と高さ位置を合わせており、拡張機４がその右側面１０１を例えば拡張機３の左側面６２に重ねて拡張機３に連設されると、受取繰出搬送部１０４が開口部１００において、紙幣Ｓを、拡張機４の機外である拡張機３の受取繰出搬送部６４の開口部６３から受け取る。受取繰出搬送部１０４は、このように機外から紙幣Ｓを受け取り、この受け取りを含めた全範囲で紙幣Ｓを短辺方向に移動させて、場合により開口部１０３から機外に繰り出す。受取繰出搬送部１０４には、開口部１００の位置に紙幣Ｓの開口部１００への受け入れを検知する紙幣検知センサ１０７が設けられている。
【００４６】
内部搬送部１０５は、紙幣Ｓを受取繰出搬送部１０４の中間位置から受け取り、この受け取りを含めた全範囲で紙幣Ｓを短辺方向に移動させる。内部搬送部１０５は、受取繰出搬送部１０４とは反対側が複数具体的には２つの分岐部１１１，１１２に分岐されている。分岐部１１１，１１２は、機体上下方向に並んで配置されており、右側面１０１に向けて分岐している。これら分岐部１１１，１１２に合わせて、これらの右側に複数具体的には二つの集積部１２１，１２２（処理部）が、左右方向の位置を重ね合わせて、上下方向に並んで設けられている。集積部１２１，１２２は、それぞれが、内部搬送部１０５から短辺方向に移動して繰り出される紙幣Ｓを受け入れて集積させる集積処理を行うもので、拡張機４の機体の前面１２４に開口している。分岐部１１１，１１２のうちの上側の分岐部１１１に、集積部１２１，１２２のうちの上側の集積部１２１が、下側の分岐部１１２に、下側の集積部１２２が、それぞれ繋がっている。
【００４７】
集積部１２１は、対応する分岐部１１１から紙幣Ｓがその短辺方向に移動して繰り出され、このように繰り出された紙幣Ｓを前面１２４から外部に取り出し可能となるように集積させる。集積部１２１は、水平に配置される昇降可能な底板部１２６と、底板部１２６の左側にこれと垂直に配置された壁面１２７と、壁面１２７の上部に配置され分岐部１１１から繰り出された紙幣Ｓを壁面１２７に当接させて底板部１２６に落下させる羽根車１２８とを有している。よって、集積部１２１に繰り出された紙幣Ｓは、長辺を機体前後方向に沿わせ、短辺を左右方向に沿わせて底板部１２６上で上下に集積されることになり、前面１２４の開口から前方に取り出される。底板部１２６は、集積部１２１の紙幣Ｓの集積量に応じて上下に移動する。集積部１２２も同様の構造であり、集積部１２２は、対応する分岐部１１２から繰り出された紙幣Ｓを外部に取り出し可能に集積させる。
【００４８】
拡張機４は、上記した受取繰出搬送部１０４、内部搬送部１０５および集積部１２１，１２２が、すべて機体前後方向の位置を重ね合わせている。拡張機４の前面１２４には、集積部１２１，１２２のそれぞれの紙幣Ｓの集積枚数を表示させるカウンタパネル１２１ａ，１２２ａが設けられている。拡張機４の内部には、ベース機２に通信可能に接続されてその制御部５６から制御指令を受信して、この制御指令に基づいて拡張機４を制御する制御部１３５が設けられている。また、拡張機４には、外部電源に接続されて拡張機４の各部に給電する電源部１３６が設けられている。集積部１２１，１２２は、それぞれの紙幣Ｓの集積可能量が、拡張機３の集積部８１〜８４のそれぞれの紙幣Ｓの集積可能量よりも多くなっている。
【００４９】
受取繰出搬送部１０４および内部搬送部１０５は、右側面１０１の開口部１００から送り込まれた紙幣Ｓを受取繰出搬送部１０４が左側面１０２近傍まで一旦搬送し、その後、内部搬送部１０５が下方に搬送した後、右側面１０１に向けて搬送して集積部１２１，１２２に送り込む。このように、拡張機４の内部で折り返すように紙幣Ｓを搬送することで、開口部１００から集積部１２１，１２２までの搬送長さを確保しており、紙幣検知センサ１０７で検出された紙幣の集積部１２１，１２２までの搬送距離を長くしている。その結果、紙幣検知センサ１０７で検出された紙幣の集積部１２１，１２２への制御部１３５の制御による振り分けが良好に行えることになる。
【００５０】
「拡張機５」
図８，図９に示すように、拡張機５は、機体の右側面１４１（第３の側面）の上部に開口部１４０で開口し、右側面１４１とは反対の左側面１４２（第４の側面）に向け水平かつ直線状に延出して、上部の開口部１４３で左側面１４２に開口する受取繰出搬送部１４４と、受取繰出搬送部１４４の左側面１４２側から分岐して下方に延出する内部搬送部１４５とを有している。受取繰出搬送部１４４の開口部１４０，１４３は、拡張機４の受取繰出搬送部１０４の開口部１００，１０３と高さ位置を合わせており、拡張機５がその右側面１４１を例えば拡張機４の左側面１０２に重ねて拡張機４に連設されると、受取繰出搬送部１４４が開口部１４０で、紙幣Ｓを、拡張機５の機外である拡張機４の受取繰出搬送部１０４の開口部１０３から受け取る。受取繰出搬送部１４４は、このように機外から紙幣Ｓを受け取り、この受け取りを含めた全範囲で紙幣Ｓを短辺方向に移動させて、場合により開口部１４３から機外に繰り出す。受取繰出搬送部１４４には、開口部１４０の位置に紙幣Ｓの開口部１４０への受け入れを検知する紙幣検知センサ１４７が設けられている。
【００５１】
内部搬送部１４５は、紙幣Ｓを受取繰出搬送部１４４の中間位置から受け取り、この受け取りを含めた全範囲で短辺方向に移動させる。内部搬送部１４５は、受取繰出搬送部１４４とは反対側が複数具体的には３つの分岐部１５１〜１５３に分岐されている。分岐部１５１〜１５３は、機体上下方向に並んで配置されており、右側面１４１に向けて分岐している。これら分岐部１５１〜１５３に合わせて、これらの右側に複数具体的には三つの同形状の集積部１６１〜１６３（処理部）が、左右方向の位置を重ね合わせて、上下方向に並んで設けられている。集積部１６１〜１６３は、それぞれが、内部搬送部１４５から短辺方向に移動して繰り出される紙幣Ｓを受け入れて集積させる集積処理を行うもので、拡張機５の機体の前面１６６に開口している。分岐部１５１〜１５３のうちの最も上側の分岐部１５１に、集積部１６１〜１６３のうちの最も上側の集積部１６１が、中間の分岐部１５２に中間の集積部１６２が、最も下側の分岐部１５３に、最も下側の集積部１６３が、それぞれ繋がっている。
【００５２】
集積部１６１は、対応する分岐部１５１から紙幣Ｓがその短辺方向に移動して繰り出され、このように繰り出された紙幣Ｓを前面１６６から外部に取り出し可能となるように集積させる。集積部１６１は、水平に対し右下がりに傾斜する底面１６８と、底面１６８の上側にこれと垂直に配置された左右に移動可能な壁板部１６９と、底面１６８の左部に配置され分岐部１５１から繰り出された紙幣Ｓを底面１６８に当接させて壁板部１６９に向けて押し出す羽根車１７０とを有している。よって、集積部１６１に繰り出された紙幣Ｓは、長辺を機体前後方向に沿わせ、短辺を上下方向に沿わせて左右に集積されることになり、前面１６６の開口から前方に取り出される。壁板部１６９は、集積部１６１の紙幣Ｓの集積量に応じて左右に移動する。
【００５３】
集積部１６２，１６３も同様の構造であり、集積部１６２は、対応する分岐部１５２から繰り出された紙幣Ｓを外部に取り出し可能に集積させ、集積部１６３は、対応する分岐部１５３から繰り出された紙幣Ｓを外部に取り出し可能に集積させる。
【００５４】
拡張機５は、上記した受取繰出搬送部１４４、内部搬送部１４５および集積部１６１〜１６３が、すべて機体前後方向の位置を重ね合わせている。拡張機５の前面１６６には、集積部１６１〜１６３のそれぞれの紙幣Ｓの集積枚数を表示させるカウンタパネル１６１ａ〜１６３ａが設けられている。拡張機５の内部には、ベース機２に通信可能に接続されてその制御部５６から制御指令を受信して、この制御指令に基づいて拡張機５を制御する制御部１７５が設けられている。また、拡張機５には、外部電源に接続されて拡張機５の各部に給電する電源部１７６が設けられている。集積部１６１〜１６３は、それぞれの紙幣Ｓの集積可能量が、拡張機３の集積部８１〜８４のそれぞれの紙幣Ｓの集積可能量よりも多く、拡張機４の集積部１２１，１２２のそれぞれの紙幣Ｓの集積可能量よりも少なくなっている。
【００５５】
受取繰出搬送部１４４および内部搬送部１４５は、右側面１４１の開口部１４０から送り込まれた紙幣Ｓを受取繰出搬送部１４４が左側面１４２近傍まで一旦搬送し、その後、内部搬送部１４５が下方に搬送した後、右側面１４１に向けて搬送して集積部１６１〜１６３に送り込む。このように、拡張機５の内部で折り返すように紙幣Ｓを搬送することで、開口部１４０から集積部１６１〜１６３までの搬送長さを確保しており、紙幣検知センサ１４７で検出された紙幣Ｓの集積部１６１〜１６３までの搬送距離を長くしている。その結果、紙幣検知センサ１４７で検出された紙幣Ｓの集積部１６１〜１６３への制御部１７５の制御による振り分けが良好に行えることになる。
【００５６】
「拡張機６」
図１０，図１１に示すように、拡張機６は、機体の右側面１８１（第３の側面）の上部に開口部１８０で開口し、右側面１８１とは反対の左側面１８２（第４の側面）に向け水平かつ直線状に延出して上部の開口部１８３で左側面１８２に開口する受取繰出搬送部１８４と、受取繰出搬送部１８４の左側面１８２側から下方に延出する内部搬送部１８５とを有している。受取繰出搬送部１８４の開口部１８０，１８３は、拡張機５の繰出搬送部１７１の開口部１４０，１４３と高さ位置を合わせており、拡張機６がその右側面１８１を例えば拡張機５の左側面１４２に重ねて拡張機５に連設されると、受取繰出搬送部１８４が開口部１８０において、紙幣Ｓを、拡張機６の機外である拡張機５の受取繰出搬送部１４４の開口部１４３から受け取る。受取繰出搬送部１８４は、このように機外から紙幣Ｓを受け取り、この受け取りを含めた全範囲で紙幣Ｓを短辺方向に移動させて、場合により開口部１８３から機外に繰り出す。受取繰出搬送部１８４には、開口部１８０の位置に紙幣Ｓの開口部１８０への受け入れを検知する紙幣検知センサ１８７が設けられている。
【００５７】
内部搬送部１８５は、紙幣Ｓを受取繰出搬送部１８４の中間位置から受け取り、この受け取りを含めた全範囲で紙幣Ｓを短辺方向に移動させる。内部搬送部１８５は、受取繰出搬送部１８４とは反対側が、紙幣Ｓを所定枚数（１００枚）ずつ集積させて結束する結束部１８８（処理部）に繋がっている。結束部１８８は、内部搬送部１８５から短辺方向に移動して繰り出される紙幣Ｓを受け入れて結束処理する。内部搬送部１８５は、受取繰出搬送部１８４とは反対側が複数具体的には二つの分岐部１９１，１９２に分岐されている。分岐部１９１，１９２は、機体上下方向に並んで配置されており、右側面１８１に向けて分岐している。結束部１８８は、これら分岐部１９１，１９２に合わせて、これらの右側に複数具体的には二つの整列集積部２０１，２０２を有している。整列集積部２０１，２０２は、左右方向の位置を重ね合わせて、上下方向に並んで設けられている。整列集積部２０１，２０２は、それぞれが、内部搬送部１８５から短辺方向に移動して繰り出される紙幣Ｓを受け入れて水平姿勢で鉛直方向に所定の結束単位枚数（具体的には１００枚）整列させて集積させる整列集積処理を行う。分岐部１９１，１９２のうちの上側の分岐部１９１に、整列集積部２０１，２０２のうちの上側の整列集積部２０１が、下側の分岐部１９２に、下側の整列集積部２０２が、それぞれ繋がっている。
【００５８】
結束部１８８は、整列集積部２０１，２０２の右方に、整列集積部２０１，２０２から水平状態のまま右方に送り出された集積紙幣を載置させて鉛直下方に下降搬送する下降搬送部２０４を有している。また、結束部１８８は、整列集積部２０２の下方に、下降搬送部２０４で下降搬送され下降搬送部２０４から水平状態のまま機体左方に送り出された集積紙幣を結束テープで結束することにより、バラ紙幣を所定の結束単位枚数だけ纏めて結束テープで一体化した小束紙幣を作製する結束機構部２０５を有している。
【００５９】
結束機構部２０５は、一束ずつ小束紙幣を作成するもので、下降搬送部２０４から機体左方に送り出された集積紙幣を上下から挟持してＶ字状に屈曲させる挟持部材２０７，２０８を有しており、挟持部材２０７，２０８で集積紙幣を挟持しつつ、結束テープを周囲に巻き回して接着・切断した後、挟持部材２０７，２０８を結束テープから引き抜くことで小束紙幣を作成する。拡張機６内では、小束紙幣も、バラ紙幣同様、常に長辺が機体前後方向に沿う姿勢とされる。
【００６０】
さらに、結束部１８８は、結束機構部２０５の下方に、結束機構部２０５で作製された小束紙幣を受け入れる引き出し式の機外放出部２１１を有している。機外放出部２１１は、機体の前面２１４から引き出し可能となっている。つまり、機外放出部２１１は、機体に押し込まれた状態で結束機構部２０５から小束紙幣を受け入れることになり、その後、前面２１４から引き出されることで、小束紙幣が機外へ取り出し可能となる。整列集積部２０１，２０２の位置の前面２１４には、整列集積部２０１，２０２の端数紙幣を機外に取り出し可能とするための扉２１６が設けられている。
【００６１】
拡張機６は、上記した受取繰出搬送部１８４、内部搬送部１８５、整列集積部２０１，２０２、下降搬送部２０４、結束機構部２０５および押し込み状態の機外放出部２１１が、すべて機体前後方向の位置を重ね合わせている。拡張機６の内部には、ベース機２に通信可能に接続されてその制御部５６から制御指令を受信して、この制御指令に基づいて拡張機６を制御する制御部２２５が設けられている。また、拡張機６には、外部電源に接続されて拡張機６の各部に給電する電源部２２６が設けられている。
【００６２】
受取繰出搬送部１８４および内部搬送部１８５は、右側面１８１の開口部１８０から送り込まれた紙幣Ｓを受取繰出搬送部１８４が左側面１８２近傍まで一旦搬送し、その後、内部搬送部１８５が下方に搬送した後、右側面１８１に向けて搬送して整列集積部２０１，２０２に送り込む。このように、拡張機６の内部で折り返すように紙幣Ｓを搬送することで、開口部１８０から整列集積部２０１，２０２までの搬送長さを確保しており、紙幣検知センサ１８７で検出された紙幣Ｓの整列集積部２０１，２０２までの搬送距離を長くしている。その結果、紙幣検知センサ１８７で検出された紙幣Ｓの整列集積部２０１，２０２への制御部２２５の制御による振り分けが良好に行えることになる。
【００６３】
「紙葉類処理装置１」
ベース機２および拡張機３〜６は、いずれも高さが同等であり、前後方向長さも同等となっている。そして、ベース機２の出口側となる受取繰出搬送部２１の開口部２９と、拡張機３の入口側となる受取繰出搬送部６４の開口部６０と、拡張機３の出口側となる受取繰出搬送部６４の開口部６３と、拡張機４の入口側となる受取繰出搬送部１０４の開口部１００と、拡張機４の出口側となる受取繰出搬送部１０４の開口部１０３と、拡張機５の入口側となる受取繰出搬送部１４４の開口部１４０と、拡張機５の出口側となる受取繰出搬送部１４４の開口部１４３と、拡張機６の入口側となる受取繰出搬送部１８４の開口部１８０と、拡張機６の出口側となる受取繰出搬送部１８４の開口部１８３とは、高さ方向の位置を合わせ機体前後方向の位置を合わせている。
【００６４】
また、ベース機２の左側面２４側と、拡張機３の左側面６２側と、拡張機４の左側面１０２側と、拡張機５の左側面１４２側と、拡張機６の左側面１８２側とには、図示略の連結機構の共通形状の一部が設けられており、拡張機３の右側面６１側と、拡張機４の右側面１０１側と、拡張機５の右側面１４１側と、拡張機６の右側面１８１側とには、図示略の連結機構の共通形状の他の一部が設けられている。そして、連結機構の一部と他部とが連結されることで、ベース機２および拡張機３〜６は、隣り合うもの同士が前後方向の位置および高さを合わせて連結される。
【００６５】
そして、紙葉類処理装置１は、上記のように処理部が異なる複数種類の拡張機３〜６を各種類複数台準備し、拡張機３〜６の数および種類のうちの少なくともいずれか一方を選択設定してベース機２に、隣り合うもの同士の受取繰出搬送部を紙幣Ｓの受け渡しが可能に配置して連設することで製造される。
【００６６】
つまり、ベース機２に拡張機３〜６のうちの選択設定された一台のみを連結することで紙葉類処理装置１としたり、ベース機２に拡張機３〜６のうちの選択設定された違う種類のものを複数台連結することで紙葉類処理装置１としたり、ベース機２に拡張機３〜６のうちの同じ種類のものを複数台連結することで紙葉類処理装置１としたり、ベース機２に拡張機３〜６のうちの同じ種類のものを複数台連結し、さらに違う種類のものを一台あるいは複数台連結することで紙葉類処理装置１としたり等、種々の組み合わせが可能となっている。つまり、一台のベース機２に、拡張機３〜６のうちの任意のものをそれぞれ任意の数組み合わせて、一台の紙葉類処理装置１を製造する。勿論、いずれの組み合わせにおいても、ベース機２に拡張機３〜６の中から複数台連結する場合には、拡張機の配列の順番も選択設定することができる。
【００６７】
いずれの組み合わせにおいても、ベース機２の制御部５６が、拡張機３〜６のうちの連結されたものに通信可能に接続されることになり、連結されたものに制御指令信号を出力する。また、いずれの組み合わせにおいても、ベース機２の電源部５７のオン／オフに連動して拡張機３〜６のうちの連結されたものの電源部がオン／オフされる。
【００６８】
例えば、図１に示すように、ベース機２に、一台の拡張機３を、受取繰出搬送部２１と受取繰出搬送部６４とを紙幣Ｓの受け渡しが可能に配置して図示略の連結機構で連結し、この拡張機３に、一台の拡張機４を、受取繰出搬送部６４と受取繰出搬送部１０４とを紙幣Ｓの受け渡しが可能に配置して図示略の連結機構で連結し、この拡張機４に、一台の拡張機５を、受取繰出搬送部１０４と受取繰出搬送部１４４とを紙幣Ｓの受け渡しが可能に配置して図示略の連結機構で連結し、この拡張機５に、一台の拡張機６を、受取繰出搬送部１４４と受取繰出搬送部１８４とを紙幣Ｓの受け渡しが可能に配置して図示略の連結機構で連結して、一体の紙葉類処理装置１を製造する。
【００６９】
この場合、紙葉類処理装置１は、そのベース機２の制御部５６が、ベース機２を制御するとともに、拡張機３の制御部９５、拡張機４の制御部１３５、拡張機５の制御部１７５および拡張機６の制御部２２５のそれぞれに制御指令信号を出力する。
【００７０】
紙葉類処理装置１は、そのベース機２の制御部５６が、分類した紙幣Ｓの分類別の搬送先を、ベース機２の集積部４１〜４３、拡張機３の集積部８１〜８４、拡張機４の集積部１２１，１２２、拡張機５の集積部１６１〜１６３、拡張機６の結束部１８８のいずれにするかを設定する。
【００７１】
そして、制御部５６は、取込部１５によって左方延出部２６に紙幣Ｓを一枚ずつ繰り出させ、識別部２２によって識別させる。識別部２２の識別結果から、各紙幣Ｓの搬送先を決定する。識別部２２によって受け入れ不可と識別された紙幣Ｓは、左方延出部２６、上方延出部２７および分岐搬送部３０で搬送し、分岐搬送部３０の分岐部３４でリジェクト部１６に搬送する。また、識別部２２の識別結果から、受け入れ可能と識別され集積部４１に搬送する種類の紙幣Ｓを、左方延出部２６、上方延出部２７および分岐搬送部３０で搬送し、分岐搬送部３０の分岐部３１で集積部４１に搬送する。また、識別部２２の識別結果から、受け入れ可能と識別され集積部４２に搬送する種類の紙幣Ｓを、左方延出部２６、上方延出部２７および分岐搬送部３０で搬送し、分岐搬送部３０の分岐部３２で集積部４２に搬送する。また、識別部２２の識別結果から、受け入れ可能と識別され集積部４３に搬送する種類の紙幣Ｓを、左方延出部２６、上方延出部２７および分岐搬送部３０で搬送し、分岐搬送部３０の分岐部３３で集積部４３に搬送する。ここで、制御部５６は、一連の処理の識別部２２の識別結果から、この処理の全体の計数結果を操作表示部５５に表示させることになり、集積部４１の集積枚数をカウンタパネル４１ａに、集積部４２の集積枚数をカウンタパネル４２ａに、集積部４３の集積枚数をカウンタパネル４３ａに、それぞれ表示させる。
【００７２】
また、制御部５６は、識別部２２の識別結果から、受け入れ可能と識別され、拡張機３の集積部８１〜８４、拡張機４の集積部１２１，１２２、拡張機５の集積部１６１〜１６３、拡張機６の結束部１８８のいずれかに搬送する種類の紙幣Ｓを、受取繰出搬送部２１の左方延出部２６、上方延出部２７および左方延出部２８で、拡張機３に向け搬送すると共に、拡張機３の制御部９５、拡張機４の制御部１３５、拡張機５の制御部１７５および拡張機６の制御部２２５に、この紙幣Ｓに対する搬送先の識別情報を含む制御指令信号を出力する。
【００７３】
拡張機３の制御部９５は、制御部５６から受信した制御指令信号に基づいて拡張機３を制御する。例えば、紙幣検知センサ６７で紙幣Ｓを検知すると、この紙幣Ｓに対する制御指令信号に、その搬送先として集積部８１〜８４のいずれかの指定が含まれる場合、受取繰出搬送部６４および内部搬送部６５を制御して、この紙幣Ｓを集積部８１〜８４の指定されたものに送り込む。他方、紙幣検知センサ６７で検知した紙幣Ｓに対する制御指令信号に、搬送先として集積部８１〜８４のいずれの指定も含まれない場合、受取繰出搬送部６４および内部搬送部６５を制御して、この紙幣Ｓを拡張機４に送り込む。制御部９５は、集積部８１の集積枚数をカウンタパネル８１ａに、集積部８２の集積枚数をカウンタパネル８２ａに、集積部８３の集積枚数をカウンタパネル８３ａに、集積部８４の集積枚数をカウンタパネル８４ａに、それぞれ表示させる。
【００７４】
拡張機４の制御部１３５は、制御部５６から受信した制御指令信号に基づいて拡張機４を制御する。例えば、紙幣検知センサ１０７で紙幣を検知すると、この紙幣Ｓに対する制御指令信号に、その搬送先として集積部１２１，１２２のいずれかの指定が含まれる場合、受取繰出搬送部１０４および内部搬送部１０５を制御して、この紙幣Ｓを集積部１２１，１２２の指定されたものに送り込む。他方、紙幣検知センサ１０７で検知した紙幣Ｓに対する制御指令信号に、搬送先として集積部１２１，１２２のいずれの指定も含まれない場合、受取繰出搬送部１０４および内部搬送部１０５を制御して、この紙幣Ｓを拡張機５に送り込む。制御部１３５は、集積部１２１の集積枚数をカウンタパネル１２１ａに、集積部１２２の集積枚数をカウンタパネル１２２ａに、それぞれ表示させる。
【００７５】
拡張機５の制御部１７５は、制御部５６から受信した制御指令信号に基づいて拡張機５を制御する。例えば、紙幣検知センサ１４７で紙幣を検知すると、この紙幣Ｓに対する制御指令信号に、その搬送先として集積部１６１〜１６３のいずれかの指定が含まれる場合、受取繰出搬送部１４４および内部搬送部１４５を制御して、この紙幣Ｓを集積部１６１〜１６３の指定されたものに送り込む。他方、紙幣検知センサ１４７で検知した紙幣Ｓに対する制御指令信号に、搬送先として集積部１６１〜１６３のいずれの指定も含まれない場合、受取繰出搬送部１４４および内部搬送部１４５を制御して、この紙幣Ｓを拡張機６に送り込む。制御部１７５は、集積部１６１の集積枚数をカウンタパネル１６１ａに、集積部１６２の集積枚数をカウンタパネル１６２ａに、集積部１６３の集積枚数をカウンタパネル１６３ａに、それぞれ表示させる。
【００７６】
拡張機６の制御部２２５は、制御部５６から受信した制御指令信号に基づいて拡張機６を制御する。例えば、紙幣検知センサ１８７で紙幣を検知すると、受取繰出搬送部１８４および内部搬送部１８５を制御して、この紙幣Ｓを整列集積部２０１，２０２のその時点で集積中のものに送り込む。拡張機６の制御部２２５は、整列集積部２０１，２０２の一方に紙幣Ｓを送り込み、この一方の集積枚数が結束単位枚数になると、他方に紙幣Ｓを送り込むと共に、結束単位枚数の集積紙幣を下降搬送部２０４で搬送し結束機構部２０５で結束させて、機外放出部２１１に送り込む。
【００７７】
上記したように、ベース機２に拡張機３〜６の種々の組み合わせで紙葉類処理装置１を製造することができ、例えば、図１２に示すように、ベース機２に、一台の拡張機３を、受取繰出搬送部２１と受取繰出搬送部６４とを紙幣Ｓの受け渡しが可能に配置し図示略の連結機構で連結して一体の紙葉類処理装置１を製造することも可能である。また、例えば、図１３に示すように、ベース機２に、拡張機３を、受取繰出搬送部２１と受取繰出搬送部６４とを紙幣Ｓの受け渡しが可能に配置して図示略の連結機構で連結し、拡張機３にもう一台の同種の拡張機３を、互いの受取繰出搬送部６４と受取繰出搬送部６４とを紙幣Ｓの受け渡しが可能に配置し図示略の連結機構で連結して一体の紙葉類処理装置１を製造することも可能である。
【００７８】
つまり、紙葉類処理装置１は、ベース機２に拡張機３〜６の少なくとも一台が、隣り合うもの同士が受取繰出搬送部を紙幣Ｓの受け渡しを可能に配置して連設されて構成されている。
【００７９】
以上の実施形態によれば、ベース機２に拡張機３〜６の適宜のものを連設した状態で、ベース機２の取込部１５が機外から装填された集積状態の紙幣Ｓをその短辺方向に移動させて一枚ずつ繰り出すと、ベース機２においては、受取繰出搬送部２１および分岐搬送部３０が全範囲で紙幣Ｓをその短辺方向に移動させて、複数のリジェクト部１６および集積部４１〜４３に外部に取り出し可能に集積させたり、機外に繰り出したりする。
【００８０】
ベース機２に拡張機３が隣り合う場合、ベース機２の受取繰出搬送部２１から繰り出された紙幣Ｓを、拡張機３の受取繰出搬送部６４が、受取繰出搬送部２１からの受け取りを含めた全範囲でその短辺方向に移動させて機外に繰り出したり、受取繰出搬送部６４から分岐する内部搬送部６５が、受取繰出搬送部６４からの受け取りを含めた全範囲で紙幣Ｓをその短辺方向に移動させて集積部８１〜８４に搬送したりする。
【００８１】
ベース機２に拡張機４が隣り合う場合、ベース機２の受取繰出搬送部２１から繰り出された紙幣Ｓを、拡張機４の受取繰出搬送部１０４が、受取繰出搬送部２１からの受け取りを含めた全範囲でその短辺方向に移動させて機外に繰り出したり、受取繰出搬送部１０４から分岐する内部搬送部１０５が、受取繰出搬送部１０４からの受け取りを含めた全範囲で紙幣Ｓをその短辺方向に移動させて集積部１２１，１２２に搬送したりする。
【００８２】
ベース機２に拡張機５が隣り合う場合、ベース機２の受取繰出搬送部２１から繰り出された紙幣Ｓを、拡張機５の受取繰出搬送部１４４が、受取繰出搬送部２１からの受け取りを含めた全範囲でその短辺方向に移動させて機外に繰り出したり、受取繰出搬送部１４４から分岐する内部搬送部１４５が、受取繰出搬送部１４４からの受け取りを含めた全範囲で紙幣Ｓをその短辺方向に移動させて集積部１６１〜１６３に搬送したりする。
【００８３】
ベース機２に拡張機６が隣り合う場合、ベース機２の受取繰出搬送部２１から繰り出された紙幣Ｓを、拡張機６の受取繰出搬送部１８４が、受取繰出搬送部２１からの受け取りを含めた全範囲でその短辺方向に移動させて機外に繰り出したり、受取繰出搬送部１８４から分岐する内部搬送部１８５が、受取繰出搬送部１８４からの受け取りを含めた全範囲で紙幣Ｓをその短辺方向に移動させて結束部１８８に搬送したりする。
【００８４】
ベース機２に連設された拡張機３〜６のうちの一台に対して、さらに拡張機３〜６のうちの一台、あるいは、同種または異種の複数台を追加しても、同様に全範囲で紙幣Ｓをその短辺方向に移動させることになる。
【００８５】
よって、ベース機２から、拡張機３〜６のうちのこれに隣り合うものへの受け渡し、この拡張機から、拡張機３〜６のうちのこれに隣り合うものへの受け渡しを含めて紙幣Ｓを常にその短辺方向に移動させることになるため、構造を簡素化でき、コスト増を抑制することができる。また、拡張機として、処理部が異なる複数種類の拡張機３〜６を準備するため、ベース機２と拡張機３〜６との組み合わせのバリエーションが増え、顧客ニーズに容易に対応することができる。また、拡張機３〜６の増設数についても顧客ニーズに容易に対応することができる。
【００８６】
また、ベース機２は、取込部１５が、右側面１１に、この右側面１１および前面１２に開口して設けられているため、機外からの紙幣Ｓの装填操作がしやすい。また、識別部２２で受け入れ不可と識別された紙幣を集積させるリジェクト部１６が、右側面１１の取込部１５よりも上方に、右側面１１および前面１２に開口して設けられているため、紙幣Ｓの取込部１５への再装填操作がしやすい。また、受取繰出搬送部２１の、取込部１５から左側面２４に向けて延出する左方延出部２６に識別部２２が設けられ、上方延出部２７の上部から右側面１１に向け延出しつつ分岐する分岐搬送部３０が、右側面１１と左側面２４とを結ぶ方向に並び前面１２に開口して設けられた複数の集積部４１〜４３に接続されるため、これらをコンパクトに配置することができる。また、左方延出部２６の左側面２４側から上方に延出する上方延出部２７から、左方延出部２８が、左側面２４に向け延出して左側面２４に開口するため、拡張機３〜６のうちの連設されたものへの紙幣Ｓの受け渡しが容易となる。
【００８７】
拡張機３は、受取繰出搬送部６４が、機体の右側面６１の上部に開口して左側面６２に向け直線状に延出して左側面６２に開口するため、拡張機３〜６の隣り合うものへ紙幣Ｓを直線状に移動させることができる。よって、紙幣Ｓが拡張機３を通過する際の移動距離を短くできる。同様に、拡張機４は、受取繰出搬送部１０４が、右側面１０１の上部に開口して左側面１０２に向け直線状に延出して左側面１０２に開口するため、拡張機３〜６の隣り合うものへ紙幣Ｓを直線状に移動させることができる。同様に、拡張機５は、受取繰出搬送部１４４が、右側面１４１の上部に開口して左側面１４２に向け直線状に延出して左側面１０２に開口するため、拡張機３〜６の隣り合うものへ紙幣Ｓを直線状に移動させることができる。同様に、拡張機６は、受取繰出搬送部１８４が、右側面１８１の上部に開口して左側面１８２に向け直線状に延出して左側面１８２に開口するため、拡張機３〜６の隣り合うものへ紙幣Ｓを直線状に移動させることができる。
【００８８】
拡張機３の処理部が、機体の前面８６に開口して紙幣Ｓを外部に取り出し可能に集積させる集積部８１〜８４であり、拡張機４の処理部が、機体の前面１２４に開口して紙幣Ｓを外部に取り出し可能に集積させる集積部１２１，１２２であり、拡張機５の処理部が、機体の前面１６６に開口して紙幣Ｓを外部に取り出し可能に集積させる集積部１６１〜１６３であるため、ベース機２の集積部４１〜４３と合わせて集積部の数が増えることになり、紙幣Ｓの多種分類および大量分類に対応することができる。
【００８９】
拡張機６の処理部が、紙幣Ｓを集積させて結束する結束部１８８であるため、ベース機２の集積部４１〜４３による分類に加えて、紙幣Ｓの結束を行うことができる。
【００９０】
ベース機２の集積部の数は、上記に限定されるものではなく、増やしたり減らしたりすることができる。
【００９１】
また、ベース機２に集積部４１〜４３を設けなくても良く、ベース機２にリジェクト部１６、分岐搬送部３０および集積部４１〜４３を設けなくても良い。つまり、ベース機２には、少なくとも取込部１５と受取繰出搬送部２１と識別部２２とが設けられていれば良い。これらのようにベース機２を構成することで、ベース機２のコストを抑えることができる。
【００９２】
また、ベース機２のリジェクト部１６および集積部４１〜４３を、すべて受け入れ不可な紙幣Ｓのリジェクト用として、これらに原因別に分けて受け入れ不可な紙幣Ｓを送り混んでも良い。
【００９３】
また、ベース機２の集積部４１〜４３を、拡張機３〜５の集積部８１〜８４，１２１，１２２，１６１〜１６３のいずれかが満杯となったときの集積用としても良い。例えば、拡張機３〜５の集積部８１〜８４，１２１，１２２，１６１〜１６３のいずれか一つと、集積部４１〜４３のいずれか一つとで、紙幣Ｓの取り出しを条件として、交互に紙幣Ｓを満杯まで集積させることで、途中で処理を停止させることなく分類処理を行うことが可能になる。
【符号の説明】
【００９４】
１  紙葉類処理装置
２  ベース機
３〜６  拡張機
１１  右側面（第１の側面）
１２  前面
１５  取込部
１６  リジェクト部（集積部）
２１  受取繰出搬送部
２２  識別部
２４  左側面（第２の側面）
２６  左方延出部（第１の延出部）
２７  上方延出部（第２の延出部）
２８  左方延出部（第３の延出部）
３０  分岐搬送部
３１〜３３  分岐部（第２の分岐部）
３４  分岐部（第１の分岐部）
４１〜４３  集積部
６１  右側面（第３の側面）
６２  左側面（第４の側面）
６４  受取繰出搬送部
６５  内部搬送部
８１〜８４  集積部（処理部）
８６  前面
１０１  右側面（第３の側面）
１０２  左側面（第４の側面）
１０４  受取繰出搬送部
１０５  内部搬送部
１２１，１２２  集積部（処理部）
１２４  前面
１４１  右側面（第３の側面）
１４２  左側面（第４の側面）
１４４  受取繰出搬送部
１４５  内部搬送部
１６１〜１６３  集積部（処理部）
１６６  前面
１８１  右側面（第３の側面）
１８２  左側面（第４の側面）
１８４  受取繰出搬送部
１８５  内部搬送部
１８８  結束部（処理部）
Ｓ  紙幣（紙葉類）
【図１】
0006647110.tif 000002
【図２】
0006647110.tif 000003
【図３】
0006647110.tif 000004
【図４】
0006647110.tif 000005
【図５】
0006647110.tif 000006
【図６】
0006647110.tif 000007
【図７】
0006647110.tif 000008
【図８】
0006647110.tif 000009
【図９】
0006647110.tif 000010
【図１０】
0006647110.tif 000011
【図１１】
0006647110.tif 000012
【図１２】
0006647110.tif 000013
【図１３】
0006647110.tif 000014